(57)【要約】      （修正有）【課題】計量ホッパを計量機に装着したまま、計量機から取り外すことのできる集合シュートと、それを使用した組合せ計量機を提供する。【解決手段】物品が滑落する方向に順次幅が狭くなる下り傾斜のシュート面３０を複数枚横方向に連接してなるシュートユニット３１、３２を複数ユニット車座に配列することにより、全体として漏斗状のシュートとなるように形成された集合シュートであって、各シュートユニット３１、３２が本体フレームに対し着脱自在に取り付けられ、各シュートユニットの互いに隣接する両サイドには、上方の計量ホッパＷＨから排出される物品の飛び出しを規制する規制板３３が立設され、規制板上部のシュート面からの高さが上端部に行く程低くなるように設定され、シュートユニットを本体フレームから取り外すときに、計量ホッパが上端部と干渉しない形状に形成されている。【選択図】図４
0003185878.tif 000002
【実用新案登録請求の範囲】
【請求項１】
物品が滑落する方向に順次幅が狭くなる下り傾斜のシュート面を複数枚横方向に連接して形成された、外面が凸状の多角面のシュートユニットを複数備え、それらのシュートユニットを、それぞれのシュート面を内側に向けて車座に配列することにより、全体として漏斗状のシュートとなるように形成された集合シュートであって、各シュートユニットが本体フレームに対し上下方向に着脱自在に取り付けられ、各シュートユニットの互いに隣接する両サイドには、上方の計量ホッパから排出される物品の飛び出しを規制する規制板が立設され、それらの規制板上部の前記シュート面からの高さが、上端部に行く程低くなるように設定されて、前記シュートユニットを本体フレームから取り外すときに、前記計量ホッパが前記上端部と干渉しない形状に形成されている集合シュート。
【請求項２】
前記上端部の高さを漸次高くしてから再び低くする着脱自在なアダプターが装着されてなる請求項１に記載の集合シュート。
【請求項３】
請求項１又は請求項２に記載の集合シュートが組み込まれた組合せ計量機。
【考案の詳細な説明】
【技術分野】
【０００１】
本考案は、食品等の物品を一定重量に自動計量する組合せ計量機に使用される集合シュートに関し、特に上段に計量ホッパを装着したまま集合シュートを着脱することのできる集合シュートとそれを使用した組合せ計量機に関する。
【背景技術】
【０００２】
周知のように、組合せ計量機は、単体重量の異なる物品を一定重量に組合せ計量する自動計量機として種々の分野で使用されている。図１は、その組合せ計量機の一般的な外観斜視図を示したもので、中央上部に配置された分散フィーダＤＦと、その周りに放射状に配列された複数個の放射フィーダＲＦと、各放射フィーダＲＦの先端部下方にそれぞれ配置された複数のプールホッパＰＨと、各プールホッパＰＨに対応させてその下段に配置された複数の計量ホッパＷＨと、さらにその下段に配置されて、各計量ホッパＷＨから排出される物品を一箇所に集める集合シュートＳとを備えている。
【０００３】
集合シュートＳは、物品の排出方向に向かって先細りとなった複数個のシュート面Ｓ１を有するシュートユニットＳＵの集合体で構成され、それらのシュートユニットＳＵを図2に示す漏斗状の排出シュートＳ３の周縁に車座に配列することにより、全体として１つの漏斗状の集合シュートＳが形成されるようになっている（下記特許文献１参照）。
【０００４】
そして、各ホッパＰＨ、ＷＨやシュートユニットＳＵは、本体フレームから簡単に取り外せるようになっているので、日々の生産が終了すると、これらは取り外されて洗浄に回される。その際、各ホッパＰＨ，ＷＨは、上方に持ち上げれば、本体フレームから簡単に取り外せるが、シュートユニットＳＵの上段には、計量ホッパＷＨが円弧状に配置されているため、シュートユニットＳＵを取り外すときは、先に計量ホッパＷＨを取り外す必要がある。
【先行技術文献】
【特許文献】
【０００５】
【特許文献１】特開平１０−１９６４７号公報
【考案の概要】
【考案が解決しようとする課題】
【０００６】
ところが、物品によっては、その一部がシュートユニットＳＵの途中に付着して排出されないことがある。例えば、ひげ根のある「もやし」を計量対象とした場合、濡れたひげ根がシュート面に付着すると、落下しないことがある。そうした場合は、袋詰商品に量目不足が発生するので、運転を一時停止してから、シュートユニットＳＵを洗浄することになるが、その際、計量ホッパＷＨには、計量済の物品が収納されているので、そのままの状態でシュートユニットＳＵだけを取り外して洗浄することができれば、計量済の物品をそのまま利用して、直ちに運転を再開することができる。
【０００７】
しかし、従来の計量機では、それができなかったので、稼動中にも拘わらず、計量機の運転を一旦終了させねばならなかった。すなわち、全ての計量ホッパＷＨから物品を排出してそれを回収してからでないと、シュートユニットを取り外すことができない。また、運転を再開しても、もう一度、各計量ホッパに物品を供給しなければならないので、作業の中断時間が無視できない長さになり、作業効率が悪いという問題があった。そのため、一部のユーザからは、シュートユニットだけの取り外しができる新たな計量機が要望されていた。
【０００８】
本考案は、こうした要望に応えたもので、計量ホッパを計量機に装着したまま、集合シュートを計量機から取り外すことのできる新たな集合シュートと、それを使用した組合せ計量機を提供することを課題とする。
【課題を解決するための手段】
【０００９】
本考案に係る集合シュートは、物品が滑落する方向に順次幅が狭くなる下り傾斜のシュート面を複数枚横方向に連接して形成された、外面が凸状の多角面のシュートユニットを複数備え、それらのシュートユニットを、それぞれのシュート面を内側に向けて車座に配列することにより、全体として漏斗状のシュートとなるように形成された集合シュートであって、各シュートユニットが本体フレームに対し上下方向に着脱自在に取り付けられ、各シュートユニットの互いに隣接する両サイドには、上方の計量ホッパから排出される物品の飛び出しを規制する規制板が立設され、それらの規制板上部の前記シュート面からの高さが、上端部に行く程低くなるように設定されて、前記シュートユニットを本体フレームから取り外すときに、前記計量ホッパが前記上端部と干渉しない形状に形成されていることを特徴とする。
【００１０】
また、本考案の好ましい形態としては、前記上端部に着脱自在なアダプターが装着されることを特徴とする。このアダプターは、前記上端部の高さを漸次高くしてから再び低くするもので、これにより、計量ホッパから排出された物品が、上端部から漏出するようなことがあっても、このアダプターでそれを阻止することができる。
【００１１】
加えて、本考案に係る集合シュートが組み込まれた組合せ計量機であることを特徴とする。これにより、計量ホッパから排出された一部の物品がシュート面に付着して、袋詰商品の内容量に過不足が生ずるような不測の事態が発生しても、これを直ちに解消することができる。
【考案の効果】
【００１２】
本考案によれば、計量ホッパを装着したまま、集合シュートだけを取り外すことができるから、集合シュートに物品が付着した場合でも、運転を終了させずに、一時停止の状態で集合シュートだけを取り外して洗浄することができる。したがって、洗浄された集合シュートを装着すれば、直ちに運転を再開することができるから、リードタイムを短縮して作業効率を向上させることができる。
【図面の簡単な説明】
【００１３】
【図１】一般的な組合せ計量機の外観斜視図。
【図２】シュートユニット単体の外観斜視図。
【図３】本考案に係る集合シュートを搭載した組合せ計量機の部分断面側面図。
【図４】集合シュートの平面図。
【図５】アダプターの外観斜視図。
【考案を実施するための形態】
【００１４】
以下、本考案の一実施形態について図面を参照しながら説明する。
【００１５】
図３は、本考案に係る集合シュートを搭載した組合せ計量機の部分断面側面図を示す。この図において、組合せ計量機１は、中央部に配置される本体フレーム２と、その本体フレーム２に着脱自在に装着されるプールホッパＰＨと計量ホッパＷＨと集合シュート３とを備えている。
【００１６】
本体フレーム２は、上段の本体部分２１と、その本体部分２１を支持する中段の４本の支持脚２２（図３では、４本の内１本だけを図示している。）と、その支持脚２２を介して前記本体部分２１を支持する下段のベース部２３とを備えている。また、本体部分２１の側面には、駆動ユニット２４が放射状に複数台組み込まれ、その本体部分２１上面には、分散フィーダＤＦを振動させるバイブレータと放射フィーダＲＦを振動させる複数台のバイブレータとが弾性体を介して設置され、その上から防水カバー２５が被せられている。
【００１７】
プールホッパＰＨは、両開き式の開閉ゲートＰ１、Ｐ１を備え、それらのゲートＰ１、Ｐ１は、リンク機構Ｐ２を介して開閉レバーＰ３に連結されている。また、開閉レバーＰ３は、後述の搖動レバーＰ４と噛みあって、搖動レバーＰ４の搖動運動によって両ゲートＰ１、Ｐ１が反対方向に搖動して開閉するようになっている。また、計量ホッパＷＨは、片開き式の開閉ゲートＷ１を備え、そのゲートＷ１は、開閉レバーＷ２を介して後述の搖動レバーＷ３と噛み合い、その搖動レバーＷ３の搖動運動によって開閉ゲートＷ１が搖動して開閉するようになっている。
【００１８】
駆動ユニット２４は、プールホッパＰＨを開閉させる駆動機構（図示せず）と、計量ホッパＷＨの負荷重量を検出するロードセル（図示せず）とを内蔵している。また、ロードセルの自由端側には、ブラケットが取り付けられ、そのブラケットの下端部２４１が駆動ユニット２４の下端部から下方に伸び、そこに可動ユニット２４２が取り付けられ、その可動ユニット２４２内に計量ホッパＷＨを開閉させる駆動機構（図示せず）が収納されている。また、可動ユニット２４２の外側には、上下一対のピン２４３が取り付けられ、これらのピン２４３に計量ホッパＷＨの支持ブラケットＷ４が引っ掛けられて支持されるようになっている。これにより、計量ホッパＷＨと、それを駆動する駆動機構とが前記ロードセルに負荷されて、全重量がロードセルによって検出されるようになっている。
【００１９】
また、各駆動機構から突出した回動軸２４４（図３では、計量ホッパＷＨ用の回動軸のみを図示）には、各開閉レバーＰ３、Ｗ２と噛みあう搖動レバーＰ４、Ｗ３が取り付けられ、この搖動レバーＰ４、Ｗ３の搖動運動によって開閉ゲートＰ１，Ｗ１が開閉されるようになっている。
なお、プールホッパＰＨは、側面に取り付けられたブラケットＰ４を介して駆動ユニット２４に着脱自在に支持されるようになっているが、その支持機構は、周知であるため、ここでは図示を省略している。
【００２０】
図４は、集合シュート３の平面図を示す。この図において、集合シュート３は、シュート面３０を３面連ねた第１シュートユニット３１と、シュート面３０を４面連ねた第２シュートユニット３２とをそれぞれ２組備え、これらのユニット３１、３２の間に４本の支持脚２２〜２２をそれぞれ挟んだ状態で、下段の排出シュートＳ３の周りに対向配置されて、漏斗状の集合シュート３が形成されている。
【００２１】
各シュートユニット３１，３２は、ステンレス板を折り曲げて形成したもので、各シュート面３０は、物品が滑落する方向に向かって順次幅が狭くなる下り傾斜に形成され、その下り傾斜のシュート面３０を３つ周方向に連接することによって第１シュートユニット３１が形成され、４つ周方向に連接することによって第２シュートユニット３２が形成されている。したがって、各シュートユニット３１、３２の外面は、外側に向けて凸となる多角面をした漏斗の一部分を構成する。また、シュート面３０の傾斜角度は、物品の滑り易さ、付着の有無等の性状に応じて適宜に設定される。
【００２２】
隣接するシュートユニット３１、３２同士の境界となるそれぞれの両サイド、即ち、支持脚２２と接する側には、上方の計量ホッパWHから排出される物品を下端部の排出口Ｓ４に向けて規制する規制板３３（図３参照）が設けられており、これにより、シュート面３０の上部に排出された物品は、滑落方向が規制板３３で規制されて排出口Ｓ４に向かって滑落していく。
【００２３】
また、この規制板３３の上部には、図３に示すように、フック３４が取り付けられ、このフック３４が、支持脚２２に取り付けられたブラケット２６に係合して支持脚２２に支持されている。また、シュートユニット３１、３２の下端部３５は、排出シュートＳ３の上端縁に重ねられている。このように、シュートユニット３１、３２の上部と下端部とがそれぞれ支持されることにより、シュートユニット３１，３２が一定の傾斜角度に保持されるようになっている。
【００２４】
また、規制板３３の上端部には、図３の一点鎖線で示す箇所３５（網掛け部分）が切除されて、シュートユニット３１、３２を本体フレーム２から着脱するときに、規制板３３の上部が計量ホッパWHと干渉しないようになっている。すなわち、規制板３３のシュート面３０からの高さｈを上端部に行く程漸次低く設定している。一点鎖線で示す従来の形状だと、例えば、図４のシュートユニット３１を矢印方向Ａに引き抜くと、規制板３３上部のＱ点は、計量ホッパＷＨの下端部（図３、図４に示すＰ点）と干渉してしまう。これに対し、一点鎖線で示す網掛け部分３５を切除して、前記高さｈを上端部に行く程漸次低くすると、規制板３３の上端部は、計量ホッパWHの下端部（図３のＰ点）と干渉しなくなる。ただし、この場合には、シュートユニット３１を少し持ち上げてフック３４をブラケット２６から離脱させてから、シュートユニット３１をやや水平に傾けながら引き抜く必要がある。
【００２５】
以上の実施形態では、計量ホッパＷＨから排出された物品を規制板３３から漏出させずに滑落させることができるが、シュートユニット３１、３２の着脱をもっと簡単に行わせたい場合は、図３の二点鎖線で示す箇所３６も切除すると良い。このようにすれば、シュートユニット３１、３２を傾けなくても、フック３４をブラケット２６から引き上げるだけで、簡単にシュートユニット３１、３２を取り外すことができる。
なお、各シュートユニット３１、３２の上端縁には、取っ手３７が取り付けられて、シュートユニット３１、３２の引き上げ作業が楽にできるようになっている。
【００２６】
図５は、この切除部分３５に被せるアダプター３８の外観斜視図を示す。この図において、アダプター３８は、ステンレス板を折り曲げて形成したもので、底面が開放され、内部が空洞の三角状のキャップに形成されている。これを規制板３３の切除部分３５に被せれば、規制板３３の高さｈがより高くなって、物品の漏出をより確実に防止することができる。また、その先端部には、フック３９が形成され、このフック３９を隣接するシュートユニット３１、３２間に跨って各シュート面３０の上端縁に被せれば、アダプター３８が規制板３３の上部で支持されるようになっている。
【００２７】
また、図５において、二点鎖線で示す部分は、図３の二点鎖線で示す箇所３６を切除した場合に対応させたキャップ３８の外形形状を示したもので、このような形状とすることにより、より確実にシュートユニット３１、３２からの物品の漏出を防止することができる。また、計量ホッパＷＨを装着したままシュートユニット３１、３２を取るときは、まず、キャップ３８を取り外し、それからシュートユニット３１、３２の取り外しに掛かるが、このキャップ３８は、片手で簡単に取り外せるから、作業上問題にならない。
【００２８】
以上、この考案の一実施形態を説明したが、この考案は、これに限定されるものではなく、実用新案登録請求の範囲内において、他の実施形態も採用可能である。
【符号の説明】
【００２９】
１    組合せ計量機
２    本体フレーム
３    集合シュート
３０    シュート面
３１    シュートユニット
３２    シュートユニット
３３    規制板
３５    切除部分
ＷＨ    計量ホッパ
ｈ    高さ
【図１】
0003185878.tif 000003
【図２】
0003185878.tif 000004
【図３】
0003185878.tif 000005
【図４】
0003185878.tif 000006
【図５】
0003185878.tif 000007